(57)【要約】【課題】ファクシミリ通信時に相手方の通信手順を把握し、規格外の通信を行う場合であっても、安定的な通信を可能とする通信装置を提供する。【解決手段】まず、通信相手の相手先装置との通信を確立するときに、相手先検出手段によって、相手先から送られてくる信号から相手先装置の製造メーカ情報あるいは製造メーカ情報を相手先識別子として検出する。通信中には、測定手段により、前記相手先装置の通信の信号や手順の特徴を測定し、評価手段により、前記測定手段により測定された結果が予め設定しておいた基準に満たないと評価したときには、前記相手先識別子と対応させて前記評価結果を記憶手段へ登録する。そして、次回からの通信確立時点で、選択手段により、前記記憶手段を参照して、登録されている前記相手先識別子に対応する評価結果に基づいて、通信手段を最適化するパラメータを選択するようにした。【選択図】図３
2009017109.tif 000002
【特許請求の範囲】
【請求項１】
通信相手の相手先装置との通信を確立するときに、相手先識別子を検出する相手先検出手段と、前記相手先装置の通信の信号や手順の特徴を測定する測定手段と、前記測定手段により測定された結果が予め設定しておいた基準に満たないと評価されたときには、前記相手先識別子と対応させて前記評価結果を記憶手段へ登録する評価手段と、前記記憶手段を参照して、登録されている前記相手先識別子に対応する評価結果に基づいて、通信手段を最適化するパラメータを選択する選択手段と、を備え、通信相手の相手先装置との通信を確立するときに、前記選択手段により選択されたパラメータによって通信手段を最適化することを特徴とする通信装置。
【請求項２】
請求項１に記載の通信装置において、前記相手先検出手段は、相手先装置と通信を確立するときに相手先から送られてくる信号から相手先装置の製造メーカ情報を取り出して相手先識別子とすることを特徴とする通信装置。
【請求項３】
請求項１に記載の通信装置において、前記相手先検出手段は、相手先装置と通信を確立するときに相手先から送られてくる信号から相手先装置の電話番号を取り出して相手先識別子とすることを特徴とする通信装置。
【請求項４】
請求項１に記載の通信装置において、前記測定手段は、相手先装置から送信されるファクシミリ通信に用いられる手順信号の特定の信号の長さを測定することを特徴とする通信装置。
【発明の詳細な説明】
【技術分野】
【０００１】
本発明は、通信回線の品位に応じて通信条件を設定する通信装置に関する。
【背景技術】
【０００２】
ファクシミリ通信を行う場合、用いる信号や手順は、国際電気通信連合(ITU)電気通信標準化部門（ITU-T:ITU Telecommunication Standardization Sector）の勧告に従うことが望ましい。
しかしながら、現実には、コストダウンなどのために、上記規格に従わない少数のファクシミリ通信機が市場に存在して稼動しているため、通信エラーとなり、再送信（リダイヤル）を行うが送信することができず、無駄な時間と費用が発生している。
このようなファクシミリ通信機との相互の通信を良好に行うために、問題のない範囲で上記の規格外での通信動作を行うように設計することは広く行われている。
【発明の開示】
【発明が解決しようとする課題】
【０００３】
近年、ＰＣ−ＦＡＸなどの普及により、ファクリミリ通信に、多くの新規メーカが参入している。
ファクシミリ通信機を設計する場合、これらのファクシミリ通信機における、上記規格への適合性は既知ではないため、予想される規格外の信号に全て対応するように設計することが求められる。
【０００４】
しかし、極端に規格外の信号を常に送受信できるようにファクシミリ通信機を設計すると、規格に準拠した大多数のファクシミリ通信機に対する送受信において、通信性能の低下を招くことが危惧されることになる。
【０００５】
本発明は、上述の実情を考慮してなされたものであって、ファクシミリ通信時に相手方の通信手順を把握し、規格外の通信を行う場合であっても、安定的な通信を可能とする通信装置を提供することを目的とする。
【課題を解決するための手段】
【０００６】
上記課題を解決するために、本発明の通信装置は、まず、相手先検出手段によって、通信相手の相手先装置との通信を確立するときに、相手先から送られてくる信号から相手先装置の製造メーカ情報あるいは製造メーカ情報を相手先識別子として検出する。
通信中には、測定手段により、前記相手先装置の通信の信号や手順の特徴を測定し、評価手段により、前記測定手段により測定された結果が予め設定しておいた基準に満たないと評価したときには、前記相手先識別子と対応させて前記評価結果を記憶手段へ登録する。
そして、次回からの通信確立時点で、選択手段により、前記記憶手段を参照して、登録されている前記相手先識別子に対応する評価結果に基づいて、通信手段を最適化するパラメータを選択するようにした。
【発明の効果】
【０００７】
本発明によれば、ファクシミリ通信時に用いられる前手順、後手順に規格外の信号が発生した場合であっても、初回の通信時に相手装置の信号特性を把握し、次回から相手装置の特性に則した通信を行うことで、規格内/規格外のファクシミリ通信装置に対し、ともに良好な通信結果を得ることができる。
【発明を実施するための最良の形態】
【０００８】
以下、図面を参照して本発明の好適な実施形態を説明する。
【０００９】
図１は、本発明が適用されるファクシミリ通信装置の構成を示すブロック図であり、同図において、ファクシミリ通信装置１０は、このファクシミリ通信装置１０を統括的に制御する主制御部１１と、所定の解像度で原稿画像を読み取り、送信用の画像情報を得る原稿読取部１２と、他のファクシミリ通信装置から受信した画像情報を所定の解像度で記録用紙に印字出力する印字部１３と、複数の操作キーやスイッチおよび液晶表示ユニット等を有する操作表示部１４と、各種の制御プログラムやデータテーブルを記憶したり、あるいは、各種のデータを一時的に記憶する記憶部１５と、画像データを符号化により圧縮したり、復号化により元の画像データを得るための符号／復号部１６と、時間を計測する時計部１７と、通信の相手先装置との間でデータを送受する通信部２０とを備え、このファクシミリ通信装置１０内で各種のデータ等はバス１８によって送受される。
【００１０】
通信部２０は、網制御部（ＮＣＵ:Network Control Unit）２１とモデム２２とを含んでいる。網制御部２１は、アナログの公衆電話回線網（ＰＳＴＮ）との回線の閉結及び開放の回線制御動作を行うハードウェアであり、必要に応じてモデム２２を公衆電話回線網と接続する。つまり、この網制御部２１は、ファクシミリ通信プロトコルに従って画像データの送・受信及び制御信号の送・受信を行うとともに、自動発・着呼処理を行う。
モデム２２は、ファクシミリ通信規格に基づいて、ファクシミリ通信の送信信号を回線の伝達に適した形態に変調し、また、回線から送られてきた変調信号を復調する。
【００１１】
このファクシミリ通信装置１０は、原稿読取部１２で読み取った画像データを符号／復号部１６にて符号化して、公衆通信回線網を通じて送信する一方、回線を通じて受信した画像データを符号／復号部１６にて復号し、印字部１３から印字出力する基本動作を行う。
【００１２】
図２は、図１のファクシミリ通信装置１０と相手先装置との間におけるファクシミリ通信手順を示すシーケンス図である。
発呼側装置から被呼側装置に対してデータを送信する場合、最初に発呼側装置から被呼側装置に対し、コーリングトーン（ＣＮＧ：Calling Tone）が送信される。
被呼側装置は、発呼側装置からのコーリングトーンを検出すると、まず被呼局識別信号（ＣＥＤ：Called Station Identification signal）を送出し、続いて、自装置の製造メーカ情報を含む非標準機能信号（ＮＳＦ：Non-Standard Facilities signal）と、自装置の電話番号を含む被呼装置識別信号（ＣＳＩ：Called Subscriber Identification signal）と、伝送速度や最大受信幅などの自装置の性能情報を含むデジタル識別信号（ＤＩＳ：Digital Transmit Command signal）とを送出することによって、自装置の機能を発呼側装置へ知らせる。
【００１３】
すると、これらの信号に応答して、発呼側装置が、自装置の電話番号を含む送信装置識別信号（ＴＳＩ：Transmitting Subscriber Identification signal）と、自装置の製造メーカ情報を含む非標準手順信号（ＮＳＳ：Non-Standard facilities Set-up）と、伝送速度や最大受信幅などの自装置の性能情報を含むデジタル命令信号（ＤＣＳ：Digital Command Signal）とを送出することによって、自装置の機能を被呼側装置へ知らせる。ここで、ＮＳＳ信号は、送出されない場合もある。
【００１４】
続いて、発呼側装置から送信されたトレーニングチェック信号（ＴＣＦ：Training Check signal）を被呼側装置が受信すると、受信準備確認信号（ＣＦＲ：Confirmation to Receive signal）が被呼側装置から発呼側装置に返信される。
【００１５】
発呼側装置は、被呼側装置からＣＦＲ信号を受信後、被呼側装置に対して、画像のデータ（ＰＩＸ）が１ページ分ずつ送信する。１ページ分の画像のデータの送信のたびに、マルチページ信号ＭＰＳ（MultiPage Signal）が発呼側装置から送信されて被呼側装置に受信され、メッセージ確認信号ＭＣＦ（Message Confirmation signal）が被呼側装置から発呼側装置に返信されて、次ページの画像のデータが発呼側装置から送信されて被呼側装置に受信される。
【００１６】
全ページ分のデータの送信終了後、手順終了信号ＥＯＰ（End of Procedures signal）が発呼側装置から送信されて被呼側装置に受信されることによって、全ページ分の画像のデータを受信したことを被呼側装置が確認すれば、メッセージ確認信号ＭＣＦが被呼側装置から発呼側装置に返信される。
最後に、切断命令信号ＤＣＮ（Disconnect signal）が発呼側装置から送信されて被呼側装置で受信されると、ファクシミリ通信が終了する。
【００１７】
この様な各信号およびデータを送受するための制御は、発呼側および被呼側のファクシミリ通信装置のいずれにおいても主制御部１１によって行われる。
【００１８】
図３は、本実施形態に係る通信部２０で使われるパラメータを設定する機能構成を示すブロック図であり、同図において、通信部２０には、相手先検出手段５１、パラメータ選択手段５２、相手先番号別テーブル５３、相手先メーカ別テーブル５４、測定手段５５、評価手段５６が含まれている。
【００１９】
相手先検出手段５１は、次のようにして相手先識別子を検出する。
（１）自装置が被呼側である場合：
相手先検出手段５１は、網制御部２１におけるＣＮＧ信号の検出に応答して起動し、網制御部２１が受信したＴＳＩ信号に基づき、発呼側装置の電話番号を検出する。あるいは、網制御部２１がＮＳＳ信号を受信したときには、このＮＳＳ信号に基づき、発呼側装置の製造メーカ情報を検出する。
【００２０】
（２）自装置が発呼側である場合：
相手先検出手段５１は、網制御部２１におけるＣＥＤ信号を受信し、続いて受信したＣＳＩ信号に基づき、被呼側装置の電話番号を検出する。あるいは、網制御部２１が受信したＮＳＦ信号に基づき、被呼側装置の製造メーカ情報（製造メーカ名、機種名等）を検出する。
【００２１】
本実施形態では、これらの相手先の電話番号あるいは製造メーカ情報を相手先識別子と言うことにする。
【００２２】
パラメータ選択手段５２は、相手先検出手段５１で検出した相手先識別子が相手先番号別テーブル５３あるいは相手先メーカ別テーブル５４に登録されているかを検索し、登録されている場合には、相手先識別子に対応する規格外の内容によって通信するようにモデム２２の各パラメータを設定して、規格外まで幅を持たせた通信が行なわれる。
また、いずれのテーブルにも登録されていない場合には、ＩＴＵ−Ｔ規格に準拠した通常の通信を行うようにモデム２２の各パラメータを設定する。
【００２３】
このように、通信部２０では、リダイヤル時、または、次回の送受信時に相手先番号別テーブル５３あるいは相手先メーカ別テーブル５４を相手先識別子によって参照することで、規格外の通信手順であっても通信を行うことが可能となる。
【００２４】
相手先番号別テーブル５３は、図４に例示したように、相手先識別子である相手先電話番号に規格外の内容を対応して登録したものである。
相手先メーカ別テーブル５４は、図５に例示したように、相手先識別子である相手先製造メーカ情報（例えば、製造メーカ名や機種名等）に規格外の内容を対応して登録したものである。
【００２５】
図６は、相手先検出手段５１およびパラメータ選択手段５２の処理手順を示すフローチャートである。
相手の装置が被呼側であれば（ステップＳ６１／ＹＥＳ）、ＣＳＩ信号に電話番号が存在するかを調べて、存在する場合には（ステップＳ６２／ＹＥＳ）、ＣＳＩ信号から取り出した電話番号を相手先識別子として、相手先番号別テーブル５３を参照して、パラメータを選択する（ステップＳ６３）。ここで、相手先識別子が相手先番号別テーブル５３に登録されていないときには、通常の規格としてパラメータ選択を行う。
【００２６】
一方、ＣＳＩ信号に電話番号が存在しない場合には（ステップＳ６２／ＮＯ）、ＮＳＦ信号に製造メーカ情報が存在するかを調べて、存在する場合には（ステップＳ６４／ＹＥＳ）、ＮＳＦ信号から取り出した製造メーカ情報を相手先識別子として、相手先メーカ別テーブル５４を参照して、パラメータを選択する（ステップＳ６５）。ここで、相手先識別子が相手先メーカ別テーブル５４に登録されていないときには、通常の規格としてパラメータ選択を行う。
他方、ＮＳＦ信号に製造メーカ情報が存在しない場合（ステップＳ６４／ＮＯ）、通常の規格としてパラメータ選択を行う。
【００２７】
相手の装置が発呼側であれば（ステップＳ６１／ＮＯ）、ＴＳＩ信号に電話番号が存在するかを調べて、存在する場合には（ステップＳ６６／ＹＥＳ）、ＴＳＩ信号から取り出した電話番号を相手先識別子として、相手先番号別テーブル５３を参照して、パラメータを選択する（ステップＳ６７）。ここで、相手先識別子が相手先番号別テーブル５３に登録されていないときには、通常の規格としてパラメータ選択を行う。
【００２８】
一方、ＴＳＩ信号に電話番号が存在しない場合には（ステップＳ６６／ＮＯ）、ＮＳＳ信号に製造メーカ情報が存在するかを調べて、存在する場合には（ステップＳ６８／ＹＥＳ）、ＮＳＳ信号から取り出した製造メーカ情報を相手先識別子として、相手先メーカ別テーブル５４を参照して、パラメータを選択する（ステップＳ６９）。ここで、相手先識別子が相手先メーカ別テーブル５４に登録されていないときには、通常の規格としてパラメータ選択を行う。
他方、ＮＳＳ信号に製造メーカ情報が存在しない場合（ステップＳ６８／ＮＯ）、通常の規格としてパラメータ選択を行う。
【００２９】
このように、相手先電話番号、または、ファクシミリ通信装置の製造メーカ情報を判別することにより、特定の通信信号が規格外であることを認識した場合には、モデム２２は、短い信号や長い信号であっても、所定の信号として受け付けることで、通信エラーを発生させることなく安定したファクシミリ通信を行うことを可能とする。
【００３０】
測定手段５５は、モデム２２において通信中に作動し、通信信号や通信手順の特徴を測定する。
評価手段５６は、測定手段５５で測定された特徴が予め記憶しておいた基準値と比較して、規格外の仕様であると判断した場合、相手先識別子に対応させた規格外の内容を相手先番号別テーブル５３あるいは相手先メーカ別テーブル５４に登録する。
【００３１】
ここで、「規格外」とは、ファクシミリ通信に用いられる手順信号の特定の信号が、次のものなどである。
・短すぎる。
・長すぎる。
・信号によって記述された情報の記述が規則に反する。
・周波数が偏移している。
【００３２】
上記規格外信号とは、画像信号、および、トレーニング信号以外の信号を示し、各信号の前に送出される空信号であるプリアセンブル、および、各信号の後に送出される空信号であるポストフラグを含むものであり、上記した条件に該当するものである。
【００３３】
次に、図７のフローチャートを用いて、通信に最適な通信パラメータを通信部２０に設定する処理手順を説明する。
ファクシミリ通信時、まず相手先識別子（電話番号または製造メーカ情報）を検出し（ステップＳ７１）、相手先番号別テーブル５３あるいは相手先メーカ別テーブル５４のいずれかを参照し、相手先識別子が「規格外ファクシミリ通信装置」として登録されているかどうかを判断し、登録されていない相手先であれば（ステップＳ７２／ＮＯ）、ＩＴＵ−Ｔ規格に準拠した通常の通信を行うようにパラメータを設定する（ステップＳ７３）。
【００３４】
一方、登録された相手先で識別子であれば（ステップＳ７２／ＹＥＳ）、その登録内容に応じた通信パラメータを設定し、規格外まで幅を持たせた通信を行う（ステップＳ７４）。
【００３５】
通信中に、なんらかの不具合が発生し（ステップＳ７５／ＹＥＳ）、その原因が相手の規格外仕様にある場合（ステップＳ７６／ＹＥＳ）、「規格外ファクシミリ通信装置」として、相手先識別子に応じて規格外の内容をテーブルに登録し、不具合である旨を相手装置へ送信して、通信を終了させる（ステップＳ７７）。
他方、通信の不具合もなく、相手装置が規格外の通信もしていないときには（ステップＳ７５／ＮＯ、Ｓ７６／ＮＯ）、通信処理を継続する。
【図面の簡単な説明】
【００３６】
【図１】本発明が適用されるファクシミリ通信装置の構成を示すブロック図である。
【図２】ファクシミリ通信装置の通信手順を示すシーケンス図である。
【図３】実施形態に係る通信部で使われるパラメータを設定する機能構成を示すブロック図である。
【図４】相手先番号別テーブルのデータ構造例である。
【図５】相手先メーカ別テーブルのデータ構造例である。
【図６】相手先検出手段およびパラメータ選択手段の処理手順を示すフローチャートである。
【図７】通信に最適な通信パラメータを通信部に設定する処理手順を示すフローチャートである。
【符号の説明】
【００３７】
１０…ファクシミリ通信装置、１１…主制御部、１２…原稿読取部、１３…印字部、１４…操作表示部、１５…記憶部、１６…符号／復号部、１７…時計部、１８…バス、２０…通信部、２１…網制御部、２２…モデム、５１…相手先検出手段、５２…パラメータ選択手段、５３…相手先番号別テーブル、５４…相手先メーカ別テーブル、５５…測定手段、５６…評価手段。
【図１】
2009017109.tif 000003
【図２】
2009017109.tif 000004
【図３】
2009017109.tif 000005
【図４】
2009017109.tif 000006
【図５】
2009017109.tif 000007
【図６】
2009017109.tif 000008
【図７】
2009017109.tif 000009